(57)【要約】【課題】  本発明の目的は、画像再生時のコマ送りを、手間なく簡単に行うことができる画像再生装置およびデジタルカメラを提供することである。【解決手段】  本発明の画像再生装置（１６〜２６）は、検出手段（２１）と、制御手段（２０）とを備える。検出手段は、自装置の姿勢を検出する。制御手段は、画像再生時に、画像を表示部（１９）に表示させると共に、検出手段によって検出された自装置（１６〜２６）の姿勢に応じて、表示部に表示させる画像のコマ送りの速度及び／又は順序を変更する。【選択図】  図１
2010232995.tif 000002
【特許請求の範囲】
【請求項１】
自装置の姿勢を検出する検出手段と、
画像再生時に、画像を表示部に表示させると共に、前記検出手段によって検出された前記姿勢に応じて、前記表示部に表示させる画像のコマ送りの速度及び／又は順序を変更する制御手段と
を備えることを特徴とする画像再生装置。
【請求項２】
請求項１に記載の画像再生装置において、
前記制御手段は、前記姿勢が前記コマ送りの自動実行を指示する姿勢である場合は前記コマ送りを自動実行し、前記姿勢が前記コマ送りの自動実行を指示する姿勢から変化した場合は前記コマ送りの前記自動実行を停止する
ことを特徴とする画像再生装置。
【請求項３】
請求項２に記載の画像再生装置において、
前記制御手段は、前記姿勢が前記コマ送りの自動実行を指示する姿勢であり、かつ、同一の姿勢のままで所定時間が経過した場合は、前記コマ送りの速度を前記所定時間が経過する前の速度よりも速くする
ことを特徴とする画像再生装置。
【請求項４】
請求項２に記載の画像再生装置において、
前記検出手段は、更に、検出した前記姿勢の予め定められた基準姿勢からの変化量を検出し、
前記制御手段は、前記姿勢が前記コマ送りの自動実行を指示する姿勢である場合は、前記検出手段によって検出された前記変化量に応じて、前記コマ送りの速度を変化させる
ことを特徴とする画像再生装置。
【請求項５】
請求項２〜請求項４の何れか一項に記載の画像再生装置において、
前記制御手段は、前記姿勢が前記コマ送りの自動実行を指示する第一の姿勢である場合と前記姿勢が前記コマ送りの自動実行を指示する第二の姿勢である場合とで、前記コマ送りの順序を逆の順序にして前記コマ送りを行う
ことを特徴とする画像再生装置。
【請求項６】
請求項２〜請求項５の何れか一項に記載の画像再生装置において、
前記制御手段は、画像の撮影日時の新古に基づいた順序で前記コマ送りを行う
ことを特徴とする画像再生装置。
【請求項７】
請求項２〜請求項５の何れか一項に記載の画像再生装置において、
前記制御手段は、画像のファイル番号の大小に基づいた順序で前記コマ送りを行う
ことを特徴とする画像再生装置。
【請求項８】
請求項２〜請求項７の何れか一項に記載の画像再生装置において、
前記制御手段は、前記コマ送りを行うときに、コマ送りする画像を前記姿勢における下側の方向にスクロールさせながら前記表示部に表示させる
ことを特徴とする画像再生装置。
【請求項９】
請求項２〜請求項８の何れか一項に記載の画像再生装置において、
前記制御手段は、前記コマ送りを行うときに、コマ送りする画像の表示方向が、該画像の撮影時における該画像を撮影した装置の姿勢と一致した方向となるように該画像を前記表示部に表示させる
ことを特徴とする画像再生装置。
【請求項１０】
被写界を撮像して画像を取得する撮像手段と、
前記撮像手段により取得された画像を前記表示部に表示させる画像として扱う請求項１〜請求項９の何れか一項に記載の画像再生装置と
を備えることを特徴とするデジタルカメラ。
【発明の詳細な説明】
【技術分野】
【０００１】
本発明は、静止画像等の画像の再生表示を行う画像再生装置およびデジタルカメラに関する。
【背景技術】
【０００２】
デジタルカメラなどのデジタル撮影装置／機器では、例えば、特許文献１で開示されるように、撮影された画像の出来映えをユーザーに確認させるなどのために、撮影によりメモリカード等に記録された画像を再生して液晶モニタなどの画面に表示する機能（画像再生機能）を有するものが一般となっている。
【先行技術文献】
【特許文献】
【０００３】
【特許文献１】特開２００２−２２３４１３号公報
【発明の概要】
【発明が解決しようとする課題】
【０００４】
ところで、従来技術では、画像再生時に、表示中の画像を確認した後に次の画像（コマ）を画面に表示させるには、ユーザーは、コマ送りのために設けられた、例えば、十字キーの左右ボタンやマルチセレクタの左右ボタンなどを操作する必要がある。
【０００５】
そのため、例えば、冬場にスキー場で、カメラで撮影した画像を再生表示するような場合には、ユーザーは、コマ送りの操作を行うために、着用していた手袋をいちいち外す必要があり、手間が掛かっていた。また、カメラを扱うのが子供であるなど、ユーザーによっては、そのボタンなどを操作すること自体が難しいものとなっていた。
【０００６】
本発明は、上記従来技術の課題を解決するためのものである。本発明の目的は、画像再生時のコマ送りを、手間なく簡単に行うことができる画像再生装置およびデジタルカメラを提供することである。
【課題を解決するための手段】
【０００７】
第１の発明の画像再生装置は、検出手段と、制御手段とを備える。検出手段は、自装置の姿勢を検出する。制御手段は、画像再生時に、画像を表示部に表示させると共に、検出手段によって検出された自装置の姿勢に応じて、表示部に表示させる画像のコマ送りの速度及び／又は順序を変更する。
【０００８】
第２の発明は、第１の発明において、制御手段は、自装置の姿勢がコマ送りの自動実行を指示する姿勢である場合はコマ送りを自動実行し、自装置の姿勢がコマ送りの自動実行を指示する姿勢から変化した場合はコマ送りの自動実行を停止する。
【０００９】
第３の発明は、第２の発明において、制御手段は、自装置の姿勢がコマ送りの自動実行を指示する姿勢であり、かつ、同一の姿勢のままで所定時間が経過した場合は、コマ送りの速度を所定時間が経過する前の速度よりも速くする。
【００１０】
第４の発明は、第２の発明において、検出手段は、更に、検出した自装置の姿勢の予め定められた基準姿勢からの変化量を検出し、制御手段は、自装置の姿勢がコマ送りの自動実行を指示する姿勢である場合は、検出手段によって検出されたその変化量に応じて、コマ送りの速度を変化させる。
【００１１】
第５の発明は、第２〜第４の発明の何れか一の発明において、制御手段は、自装置の姿勢がコマ送りの自動実行を指示する第一の姿勢である場合と自装置の姿勢がコマ送りの自動実行を指示する第二の姿勢である場合とで、コマ送りの順序を逆の順序にしてコマ送りを行う。
【００１２】
第６の発明は、第２〜第５の発明の何れか一の発明において、制御手段は、画像の撮影日時の新古に基づいた順序でコマ送りを行う。
【００１３】
第７の発明は、第２〜第５の発明の何れか一の発明において、制御手段は、画像のファイル番号の大小に基づいた順序でコマ送りを行う。
【００１４】
第８の発明は、第２〜第７の発明の何れか一の発明において、制御手段は、コマ送りを行うときに、コマ送りする画像を、検出された自装置の姿勢における下側の方向にスクロールさせながら表示部に表示させる。
【００１５】
第９の発明は、第２〜第８の発明の何れか一の発明において、制御手段は、コマ送りを行うときに、コマ送りする画像の表示方向が、当該画像の撮影時における当該画像を撮影した装置の姿勢と一致した方向となるように当該画像を表示部に表示させる。
【００１６】
第１０の発明のデジタルカメラは、被写界を撮像して画像を取得する撮像手段と、その撮像手段により取得された画像を表示部に表示させる画像として扱う請求項１〜請求項９の何れか一項に記載の画像再生装置とを備える。
【発明の効果】
【００１７】
本発明では、画像再生時に、自装置の姿勢を検出し、その検出した姿勢に応じて、表示部（ＬＣＤモニタなど）に表示する画像のコマ送りの速度及び／又は順序を変更する。
【００１８】
従って、本発明を利用すれば、画像再生時のコマ送りを、手間なく簡単に行うことができる。
【図面の簡単な説明】
【００１９】
【図１】本実施形態のデジタルカメラのブロック図である。
【図２】デジタルカメラの画像再生の動作を示す流れ図（１／２）である。
【図３】デジタルカメラの画像再生の動作を示す流れ図（２／２）である。
【図４】デジタルカメラの姿勢及び姿勢情報を説明する図である。
【図５】姿勢毎のＬＣＤモニタへの画像の表示イメージを示す図である。
【図６】姿勢が「縦＋９０度」の場合のスクロール方向を示す図である。
【図７】姿勢毎のＬＣＤモニタへの画像の表示イメージを示す図（正位置表示機能有りの場合）である。
【図８】姿勢が「縦＋９０度」の場合のスクロール方向を示す図（正位置表示機能有りの場合）である。
【図９】姿勢が「縦＋９０度」の場合のスクロール方向（左右）を示す図（正位置表示機能有りの場合）である。
【図１０】自動コマ送りを停止する第二の方法を説明する図である。
【発明を実施するための形態】
【００２０】
以下、本発明の実施形態を説明する。本実施形態は、デジタルカメラの実施形態である。
【００２１】
図１は、本実施形態のデジタルカメラのブロック図である。
【００２２】
デジタルカメラは、撮像レンズ１１およびレンズ駆動部１２と、撮像素子１３と、アナログ信号処理部１４と、タイミングジェネレータ（ＴＧ）１５と、バッファメモリ１６と、画像処理部１７と、表示制御部１８と、表示部１９と、制御部２０と、センサ部２１と、圧縮／復号部２２と、記録インターフェース（記録Ｉ／Ｆ）２３と、記録媒体２４と、操作部２５と、バス２６とを有している。ここで、バッファメモリ１６、画像処理部１７、表示制御部１８、制御部２０、センサ部２１、圧縮／復号部２２、記録Ｉ／Ｆ２３は、バス２６を介して接続されている。また、レンズ駆動部１２、アナログ信号処理部１４、ＴＧ１５、操作部２５は、それぞれ制御部２０に接続されている。
【００２３】
撮像レンズ１１は、フォーカスレンズやズームレンズを含む複数のレンズ群で構成されている。なお、簡単のため、図１では撮像レンズ１１を１枚のレンズとして図示している。
【００２４】
レンズ駆動部１２は、制御部２０の指示に応じてレンズ駆動信号を発生し、撮像レンズ１１を光軸方向に移動させてフォーカス調整やズーム調整を行うと共に、撮像レンズ１１を通過した光束による被写体像を撮像素子１３の受光面に形成する。
【００２５】
撮像素子１３は、ＣＣＤ型やＣＭＯＳ型の撮像素子であり、撮像レンズ１１の像空間側に配置されている。撮像素子１３は、受光面に形成された被写体像を光電変換してアナログ画像信号を生成する。この撮像素子１３の出力はアナログ信号処理部１４に接続されている。
【００２６】
アナログ信号処理部１４は、制御部２０の指示に応じて、撮像素子１３から出力されたアナログ画像信号に対し、ＣＤＳ（相関二重サンプリング）、ゲイン調整、Ａ／Ｄ変換などのアナログ信号処理を施すと共に、その処理後の画像信号を出力する。なお、アナログ信号処理部１４の出力はバッファメモリ１６に接続されている。
【００２７】
また、アナログ信号処理部１４は、制御部２０の指示に基づいてゲイン調整の調整量を設定し、それによってＩＳＯ感度に相当する撮影感度の調整を行う。
【００２８】
ＴＧ１５は、制御部２０の指示に基づき撮像素子１３およびアナログ信号処理部１４に対してタイミングパルスを供給する。撮像素子１３およびアナログ信号処理部１４の駆動タイミングはそのタイミングパルスによって制御される。
【００２９】
バッファメモリ１６は、アナログ信号処理部１４から出力される画像信号を画像データとして一時的に記憶する。また、バッファメモリ１６は、制御部２０により記録媒体２４から読み出された画像データや、制御部２０による処理の過程で作成された画像データを一時的に記憶する。
【００３０】
画像処理部１７は、制御部２０の指示に応じて、バッファメモリ１６の画像データに対し、ホワイトバランス調整、補間、輪郭強調、ガンマ補正、解像度変換（画素数変換）などの画像処理を施す。なお、解像度変換（画素数変換）は、表示部１９に画像データを表示させる場合などに必要な処理である。画像処理部１７は、ＡＳＩＣなどとして構成される。
【００３１】
表示制御部１８は、制御部２０の指示に応じて、画像処理後の画像データに所定の信号処理（例えば、ＮＴＳＣ方式の複合映像信号に変換するための信号処理）を施して表示部１９へ出力する。この出力により、画像データが表示部１９に表示される。なお、表示部１９は、デジタルカメラ筐体の背面などに設けられたＬＣＤモニタや、接眼部を備えた電子ファインダなどである。
【００３２】
センサ部２１は、デジタルカメラの姿勢を検出するためのセンサ、例えば、ジャイロセンサなどを含む。制御部２０は、このセンサ部２１を駆動して、デジタルカメラの姿勢を示す情報（姿勢情報）を取得する。なお、この姿勢情報については後述する。
【００３３】
圧縮／復号部２２は、制御部２０の指示に応じて、バッファメモリ１６の画像データに圧縮処理又は復号処理を施す。なお、圧縮処理及び復号処理は、ＪＰＥＧ（Joint Photographic Experts Group）形式などによって行われる。圧縮／復号部２２は、可逆圧縮（いわゆるロスレス符号化）を行うことも可能な構成となっている。
【００３４】
記録Ｉ／Ｆ２３には、記録媒体２４を接続するためのコネクタが形成されている。記録Ｉ／Ｆ２３は、そのコネクタに接続された記録媒体２４にアクセスして、各種データの書き込みや読み出しを行う。制御部２０は、撮影時には、この記録Ｉ／Ｆ２３を介して、バッファメモリ１６の圧縮処理後の画像データを記録媒体２４へ記録する。但し、デジタルカメラが非圧縮記録モードに設定された場合には、制御部２０は、バッファメモリ１６の画像処理後の画像データを、圧縮処理を施さずに非圧縮のまま記録媒体２４へ記録する。また、制御部２０は、画像再生時には、記録Ｉ／Ｆ２３を介して、その記録された画像データを記録媒体２４から読み出してバッファメモリ１６へ記録する。なお、記録媒体２４は、半導体メモリを内蔵したメモリカードや、小型のハードディスクなどである。
【００３５】
操作部２５は、レリーズボタン（シャッターボタン）、モード設定ボタン、メニューボタン、画像再生ボタン等の各種の操作部材を含み、撮影者などのユーザーによる部材操作の内容に応じた操作信号を制御部２０に送る。
【００３６】
制御部２０は、ユーザーによる操作部材の操作内容に応じてデジタルカメラの各部を統括制御する。例えば、モード設定ボタン等の操作によりデジタルカメラが撮影モードに設定されると、制御部２０は、レンズ駆動部１２、アナログ信号処理部１４およびＴＧ１５を駆動してスルー画像の取得を開始する。このとき、撮像素子１３はドラフトモード（間引き読み出しモード）で駆動され、スルー画像の画像データがアナログ信号処理部１４を介してバッファメモリ１６へ順次記録される。制御部２０は、そのスルー画像の画像データを基に、レンズ駆動部１２と協働して撮像レンズ１１の焦点調節制御（ＡＦ）を行う。また、制御部２０は、不図示の測光部を駆動して、バッファメモリ１６のスルー画像の画像データを基に撮影シーンの評価値を算出させると、その評価値に基づきアナログ信号処理部１４などの設定内容を調整する。また、制御部２０は、画像処理部１７を駆動してバッファメモリ１６のスルー画像の画像データに画像処理を施した後、表示制御部１８を駆動して画像処理後のスルー画像の画像データを表示部１９に順次表示させる（ライブビュー表示）。
【００３７】
次に、撮影モードで動作中にレリーズボタンが半押しされると、制御部２０は、本撮影に先立ち、レンズ駆動部１２と協働して撮像レンズ１１の焦点調節制御（ＡＦ）を行う。
【００３８】
また、撮影モードで動作中にレリーズボタンが全押しされると、制御部２０は、不図示の測光部が算出した評価値に基づき撮影条件（絞り値、シャッター速度、ストロボ発光の有無など）を決定する。そして、制御部２０は、決定した撮影条件の下でレンズ駆動部１２、アナログ信号処理部１４およびＴＧ１５を駆動して本撮影を実施する。このとき、撮像素子１３はフレームモード（全画素読み出しモード）で駆動され、撮影された画像（撮影画像）の画像データがアナログ信号処理部１４を介してバッファメモリ１６へ記録される。この後、制御部２０は、画像処理部１７を駆動して、バッファメモリ１６に記録された撮影画像の画像データに対し画像処理を施す。また、制御部２０は、表示制御部１８を駆動して、画像処理後の撮影画像を表示部１９に表示させる。そして、制御部２０は、圧縮／復号部２２を駆動して、画像処理後の撮影画像の画像データに対し圧縮処理を施すと共に、圧縮処理後の撮影画像の画像データを記録Ｉ／Ｆ２３を介して記録媒体２４へ記録する。なお、制御部２０は、デジタルカメラが非圧縮記録モードに設定された場合には、圧縮／復号部２２を駆動することなく、画像処理後の撮影画像の画像データを非圧縮のまま記録Ｉ／Ｆ２３を介して記録媒体２４へ記録する。
【００３９】
また、画像再生ボタンが押下されると、制御部２０は、記録媒体２４に記録された撮影画像等の画像データを記録Ｉ／Ｆ２３を介してバッファメモリ１６へ読み出す。その後、制御部２０は、必要に応じて圧縮／復号部２２を駆動して、そのバッファメモリ１６の画像データに復号処理を施す。また、制御部２０は、必要に応じて画像処理部１７を駆動して、バッファメモリ１６の画像データに解像度変換（画素数変換）などの処理を施す。そして、制御部２０は、表示制御部１８を駆動して、バッファメモリ１６の画像データを表示部１９に表示させる。
【００４０】
以下、デジタルカメラの画像再生の動作を、図２及び図３の流れ図を参照して説明する。図２及び図３は、ユーザーにより画像再生ボタンが押下された場合に実行されるフローチャートである。
【００４１】
ステップ１０１（Ｓ１０１）：制御部２０は、センサ部２１を駆動して、デジタルカメラの姿勢を示す情報（姿勢情報）を取得する。
【００４２】
ここで、姿勢情報について、図４を参照して説明する。なお、以下では、ＬＣＤモニタの画面が設けられた面をデジタルカメラの正面として説明する。本実施形態においては、図４（ａ）に示すようにデジタルカメラの底面が重力方向に向けられた姿勢である場合には、例えば、「横」との姿勢情報が取得される。また、図４（ｂ）に示すようにデジタルカメラの左側面が重力方向に向けられた姿勢である場合には、例えば、「縦−９０度」との姿勢情報が取得される。また、図４（ｃ）に示すようにデジタルカメラの右側面が重力方向に向けられた姿勢である場合には、例えば、「縦＋９０度」との姿勢情報が取得される。このように、本実施形態のデジタルカメラでは、「横」と、「縦−９０度」と、「縦＋９０度」との３種類の姿勢情報が取得される。
【００４３】
制御部２０は、取得したこの姿勢情報に基づいてデジタルカメラの姿勢を判定する。
【００４４】
なお、説明の都合上、以下では、姿勢情報の「横」、「縦−９０度」、「縦＋９０度」をデジタルカメラの姿勢を表す呼び名としてそのまま使用する。
【００４５】
ステップ１０２：制御部２０は、姿勢情報に基づき、デジタルカメラの姿勢が「縦」であるか否かを判定する。制御部２０は、姿勢が「縦」である場合、つまり、デジタルカメラの姿勢が「縦−９０度」又は「縦＋９０度」の場合は、ステップ１０３へ移行して本発明の画像再生処理を実行する（Ｙｅｓ側）。一方、制御部２０は、姿勢が「縦」でない場合、つまり、デジタルカメラの姿勢が「横」の場合は、ステップ１１８（図３）へ移行して従来の画像再生の処理を実行する（Ｎｏ側）。なお、図３のステップ１１８〜ステップ１２１は、従来の画像再生処理の一例を示したものである。
【００４６】
ステップ１０３：制御部２０は、姿勢情報に基づき、同じ姿勢のままで所定の時間が経過したか否か、即ち、「縦−９０度」又は「縦＋９０度」の姿勢のままで所定時間が経過したか否かを判定する。制御部２０は、「縦−９０度」又は「縦＋９０度」の姿勢のままで所定時間が経過した場合はステップ１０５へ移行する（Ｙｅｓ側）。一方、制御部２０は、所定時間内にデジタルカメラの姿勢に変化があった場合はステップ１０４へ移行する（Ｎｏ側）。
【００４７】
ステップ１０４：制御部２０は、通常コマ送り用に予め設定された値（例えば、３秒）をコマ送り間隔の情報として使用する。そして、制御部２０は、ステップ１０６へ移行する。
【００４８】
ステップ１０５：制御部２０は、高速コマ送り用に予め設定された値（例えば、１秒）をコマ送り間隔の情報として使用する。
【００４９】
ステップ１０６：制御部２０は、今回行おうとする画像表示が、本フローチャート開始後の初回のものであるか否かを判定する。制御部２０は、今回が初回であればステップ１０７へ移行し（Ｙｅｓ側）、一方、初回でなければステップ１１１へ移行する（Ｎｏ側）。
【００５０】
ステップ１０７：制御部２０は、姿勢情報に基づき、デジタルカメラの姿勢が「縦＋９０度」であるか否かを判定する。制御部２０は、姿勢が「縦＋９０度」であればステップ１０８へ移行し（Ｙｅｓ側）、一方、そうでなければステップ１０９へ移行する（Ｎｏ側）。
【００５１】
ステップ１０８：制御部２０は、記録Ｉ／Ｆ２３を介して、記録媒体２４に記録された画像のうちから撮影日時の最も古い画像を取得する。なお、取得された画像データはバッファメモリ１６に記録される。制御部２０は、必要に応じて圧縮／復号部２２を駆動して、そのバッファメモリ１６の画像データに復号処理を施す。また、制御部２０は、必要に応じて画像処理部１７を駆動して、バッファメモリ１６の画像データに解像度変換（画素数変換）などの処理を施す。そして、制御部２０は、表示制御部１８を駆動して、バッファメモリ１６の画像データを表示部１９に表示させる。このデジタルカメラの姿勢が「縦＋９０度」の場合における、表示部１９、例えばＬＣＤモニタへの画像の表示イメージを図５（ｃ）に示す。制御部２０は、このように画像表示を行った後、ステップ１１０へ移行する。
【００５２】
ステップ１０９：制御部２０は、記録Ｉ／Ｆ２３を介して、記録媒体２４に記録された画像のうちから撮影日時の最も新しい画像を取得する。なお、取得された画像データはバッファメモリ１６に記録される。制御部２０は、必要に応じて圧縮／復号部２２を駆動して、そのバッファメモリ１６の画像データに復号処理を施す。また、制御部２０は、必要に応じて画像処理部１７を駆動して、バッファメモリ１６の画像データに解像度変換（画素数変換）などの処理を施す。そして、制御部２０は、表示制御部１８を駆動して、バッファメモリ１６の画像データを表示部１９に表示させる。このデジタルカメラの姿勢が「縦−９０度」の場合における、表示部１９、例えばＬＣＤモニタへの画像の表示イメージを図５（ｂ）に示す。
【００５３】
ステップ１１０：制御部２０は、上記のコマ送り間隔の情報を、次コマ表示待ち時間として設定する。
【００５４】
ステップ１１１：制御部２０は、姿勢情報に基づき、前回の本ステップ１１１の処理の実行から今回の実行までの間にデジタルカメラの姿勢が変化したか否かを判定する。制御部２０は、その間に姿勢が変化していなければ、次コマ表示待ち時間（上記）の経過を判定するためにステップ１１２へ移行する（Ｎｏ側）。一方、制御部２０は、その間に姿勢が変化していれば、ステップ１１２の判定処理を強制的にスキップしてステップ１１３へ移行する（Ｙｅｓ側）。
【００５５】
ステップ１１２：制御部２０は、上記で設定した次コマ表示待ち時間が経過したか否かを判定する。制御部２０は、次コマ表示待ち時間が経過した場合には、次の画像（コマ）を表示するためにステップ１１３へ移行する（Ｙｅｓ側）。一方、制御部２０は、次コマ表示待ち時間が経過していない場合には、現在の画像の表示を継続したままステップ１１７へ移行する（Ｎｏ側）。
【００５６】
ステップ１１３：制御部２０は、姿勢情報に基づき、デジタルカメラの姿勢が「縦＋９０度」であるか否かを判定する。制御部２０は、姿勢が「縦＋９０度」であればステップ１１４へ移行し（Ｙｅｓ側）、一方、そうでなければ（つまり「縦−９０度」であれば）ステップ１１５へ移行する（Ｎｏ側）。
【００５７】
ステップ１１４：制御部２０は、記録Ｉ／Ｆ２３を介して、記録媒体２４に記録された画像のうちから撮影日時が現在表示中の画像の次に古い画像を取得する。なお、取得された画像データはバッファメモリ１６に記録される。制御部２０は、必要に応じて圧縮／復号部２２を駆動して、そのバッファメモリ１６の画像データに復号処理を施す。また、制御部２０は、必要に応じて画像処理部１７を駆動して、バッファメモリ１６の画像データに解像度変換（画素数変換）などの処理を施す。そして、制御部２０は、表示制御部１８を駆動して、バッファメモリ１６の画像データを表示部１９に表示させる。このように画像表示を行った後、制御部２０は、ステップ１１６へ移行する。
【００５８】
ステップ１１５：制御部２０は、記録Ｉ／Ｆ２３を介して、記録媒体２４に記録された画像のうちから撮影日時が現在表示中の画像の次に新しい画像を取得する。なお、取得された画像データはバッファメモリ１６に記録される。制御部２０は、必要に応じて圧縮／復号部２２を駆動して、そのバッファメモリ１６の画像データに復号処理を施す。また、制御部２０は、必要に応じて画像処理部１７を駆動して、バッファメモリ１６の画像データに解像度変換（画素数変換）などの処理を施す。そして、制御部２０は、表示制御部１８を駆動して、バッファメモリ１６の画像データを表示部１９に表示させる。
【００５９】
ステップ１１６：制御部２０は、上記のコマ送り間隔の情報を、次コマ表示待ち時間として設定する。
【００６０】
ステップ１１７：制御部２０は、画像再生の終了指示がされたか否かを判定する。なお、画像再生の終了指示は、ユーザーが、例えば、デジタルカメラの画像再生ボタンを再度押下することなどによって行われる。制御部２０は、終了指示がされていない場合には、ステップ１０１へ移行して上記の処理を繰り返す。一方、制御部２０は、終了指示がされた場合には、表示制御部１８の駆動を停止して表示部１９への画像表示を停止させた後に本フローチャートの処理を終了する。
【００６１】
ステップ１１８：制御部２０は、今回行おうとする画像表示が、本フローチャート開始後の初回のものであるか否かを判定する。制御部２０は、今回が初回であればステップ１１９へ移行し（Ｙｅｓ側）、一方、初回でなければステップ１２０へ移行する（Ｎｏ側）。
【００６２】
ステップ１１９：制御部２０は、記録Ｉ／Ｆ２３を介して、記録媒体２４に記録された画像のうちから撮影日時の最も新しい画像を取得する。なお、取得された画像データはバッファメモリ１６に記録される。制御部２０は、必要に応じて圧縮／復号部２２を駆動して、そのバッファメモリ１６の画像データに復号処理を施す。また、制御部２０は、必要に応じて画像処理部１７を駆動して、バッファメモリ１６の画像データに解像度変換（画素数変換）などの処理を施す。そして、制御部２０は、表示制御部１８を駆動して、バッファメモリ１６の画像データを表示部１９に表示させる。このデジタルカメラの姿勢が「横」の場合における、表示部１９、例えばＬＣＤモニタへの画像の表示イメージを図５（ａ）に示す。
【００６３】
ステップ１２０：制御部２０は、コマ送りの指示がされたか否かを判定する。なお、コマ送りの指示は、ユーザーが、例えば、デジタルカメラに設けられた操作部材のマルチセレクタの左右ボタン又は上下ボタン（不図示）を操作することなどによって行われる。制御部２０は、コマ送りの指示がされた場合にはステップ１２１へ移行する（Ｙｅｓ側）。一方、制御部２０は、コマ送りの指示がされていない場合には現在の画像の表示を継続したままステップ１１７へ移行する（Ｎｏ側）。
【００６４】
ステップ１２１：制御部２０は、コマ送りの指示が正方向コマ送り（ユーザーが、例えば、マルチセレクタの左右ボタンの右側を押下した場合）であれば、記録Ｉ／Ｆ２３を介して、記録媒体２４に記録された画像のうちから撮影日時が現在表示中の画像の次に古い画像を取得する。但し、現在表示中の画像が撮影日時の最も新しい画像である場合には、撮影日時が最も古い画像を記録媒体２４から取得するようにする。
【００６５】
一方、コマ送りの指示が逆方向コマ送り（ユーザーが、例えば、マルチセレクタの左右ボタンの左側を押下した場合）であれば、制御部２０は、記録Ｉ／Ｆ２３を介して、記録媒体２４に記録された画像のうちから撮影日時が現在表示中の画像の次に新しい画像を取得する。但し、現在表示中の画像が撮影日時の最も古い画像である場合には、撮影日時が最も新しい画像を記録媒体２４から取得するようにする。
【００６６】
なお、取得された画像データはバッファメモリ１６に記録される。
【００６７】
制御部２０は、必要に応じて圧縮／復号部２２を駆動して、そのバッファメモリ１６の画像データに復号処理を施す。
【００６８】
また、制御部２０は、必要に応じて画像処理部１７を駆動して、バッファメモリ１６の画像データに解像度変換（画素数変換）などの処理を施す。
【００６９】
そして、制御部２０は、表示制御部１８を駆動して、バッファメモリ１６の画像データを表示部１９に表示させる。
【００７０】
このように画像表示を行った後、制御部２０は、ステップ１１７へ移行する。
【００７１】
（本実施形態の補足事項）
なお、上記のステップ１０８、１０９、１１４、１１５の各処理で画像表示を行う際には、画像をスクロールさせながら表示部１９に表示するようにしてもよい。その場合、例えば、デジタルカメラの姿勢が「縦＋９０度」であれば、図６のように画像を「下」の方向になめらかに移動（スムーススクロール）させながら表示部１９に表示する。なお、スクロール表示の方向は、「下」のみに限らず、「上」、「右」、「左」などであってもよい。
【００７２】
また、デジタルカメラが、例えば、従来技術の特開２００７−２０１５３９号公報で開示されるように、画像の表示方向が当該画像の撮影時における当該画像を撮影した装置（例えば、デジタルカメラなど）の姿勢と一致した方向となるように画像表示を行う機能（正位置表示機能）を有している場合は、画像表示を次のように行ってもよい。具体的には、デジタルカメラが、正位置表示機能として、例えば、「横」の姿勢で撮影した画像を「縦−９０度」又は「縦＋９０度」の姿勢で表示させる際に、画像を右に９０度又は左に９０度回転させて「横」に表示する機能を有している場合は、上記のステップ１０８、１０９、１１４、１１５の各処理で画像表示を行う際に画像を「横」に表示するようにしてもよい。その場合、例えば、図７（ａ）のように「横」の姿勢で撮影した画像は、姿勢が「縦−９０度」の場合には図７（ｂ）のように、また、姿勢が「縦＋９０度」の場合には図７（ｃ）のように、表示部１９に表示される。
【００７３】
また、その正位置表示機能を有効にするか無効にするかをモード設定などによって変更できる場合には、当該機能が有効にされていれば図７（ｂ）、（ｃ）のように画像表示し、一方、無効にされていれば図５（ｂ）、（ｃ）のように画像表示するようにしてもよい。
【００７４】
また、その正位置表示機能により、「縦−９０度」又は「縦＋９０度」の姿勢で画像を「横」にして表示させる際には、スクロールさせながら表示部１９に表示させるようにしてもよい。その場合、例えば、デジタルカメラの姿勢が「縦＋９０度」であれば、図８のように画像を「下」の方向になめらかに移動（スムーススクロール）させながら表示部１９に表示する。なお、スクロール表示の方向は、「下」のみに限らず、「上」でもよく、また図９のように「左」や「右」などであってもよい。
【００７５】
また、上記では、デジタルカメラの姿勢が「縦−９０度」の場合には画像の撮影日時の新しいものから古いものの順に、一方、姿勢が「縦＋９０度」の場合には画像の撮影日時の古いものから新しいものの順にコマ送りして画像表示するように説明したが、その姿勢とコマ送りの順序との対応関係は反対であってもよい。
【００７６】
また、上記では、画像の撮影日時の新古の順にコマ送りして画像表示するように説明したが、画像のファイル名あるいはファイル名として付与されたファイル番号（例えば、ＤＳＣ０００１、ＤＳＣ０００２など）の大小の順にコマ送りして画像を表示するようにしてもよい。
【００７７】
また、上記のフローチャートの処理では、デジタルカメラが「縦」の姿勢、つまり「縦−９０度」又は「縦＋９０度」の姿勢にされ、そしてその姿勢のままで所定の時間が経過すると、表示画像のコマ送りを所定時間が経過する前よりも速くするようにコマ送り速度が変更される。しかし、センサ部２１に含まれるセンサがデジタルカメラの姿勢の変化を数度の単位でリニアに検出可能なものである場合には、例えば「横」の姿勢を基準姿勢として定めて、デジタルカメラの姿勢が、その基準姿勢から、例えば「縦」の姿勢の方向に変化してゆく際に検出されるその変化量（傾き量など）に応じて、表示画像のコマ送り速度を変えるようにしてもよい。その場合、例えば、検出される変化量が大きいほど、表示画像のコマ送り速度を速くするように変更する。具体的には、上記のステップ１０４、１０５の処理で説明したコマ送り間隔の情報として使用する値を変化量が大きいほど小さな値とするように変更する。
【００７８】
また、上記のフローチャートの処理では、デジタルカメラが「縦−９０度」又は「縦＋９０度」の姿勢にされると表示画像のコマ送りが開始され、その後にデジタルカメラが「横」の姿勢にされるとそのコマ送りが停止される。しかし、コマ送りが開始された後に、例えば、図１０に示すように、ＬＣＤモニタ（表示部１９）が設けられた側とは反対の面を下に向けるようにしてデジタルカメラが「伏せた」状態の姿勢とされた場合にも、その姿勢を検出して表示画像のコマ送りを停止するようにしてもよい。
【００７９】
また、上記のフローチャートの処理では、デジタルカメラの姿勢が「縦」、つまり「縦−９０度」又は「縦＋９０度」の場合には表示画像のコマ送りが自動実行され、そして、デジタルカメラの姿勢が「縦」から「横」などに変化した場合にはその自動実行が停止される。即ち、上記のフローチャートの処理では、コマ送りの自動実行を指示する姿勢を「縦」、つまり「縦−９０度」（コマ送りの自動実行を指示する第一の姿勢）又は「縦＋９０度」（コマ送りの自動実行を指示する第二の姿勢）としている。しかし、反対に、デジタルカメラの姿勢が「横」の場合には表示画像のコマ送りを自動実行し、そして、その姿勢が「横」から「縦」などに変化した場合にはその自動実行を停止するようにしてもよい。即ち、コマ送りの自動実行を指示する姿勢を「横」としてもよい。
【００８０】
（本実施形態の作用効果）
以下、本実施形態の作用効果を説明する。
【００８１】
本実施形態のデジタルカメラでは、画像再生時に、デジタルカメラの姿勢が検出され、その姿勢がコマ送りの自動実行を指示する姿勢（例えば「縦」）である場合には、表示画像のコマ送りが自動実行される。そして、デジタルカメラの姿勢がコマ送りの自動実行を指示する姿勢（例えば「縦」）から別の姿勢（例えば「横」）に変化した場合には、そのコマ送りの自動実行が停止される。
【００８２】
また、本実施形態のデジタルカメラでは、画像再生時に、デジタルカメラの姿勢が検出され、その姿勢がコマ送りの自動実行を指示する姿勢（例えば「縦」）ではない場合（例えば「横」の姿勢の場合）には、表示画像のコマ送りの自動実行は行われない。なお、この場合、表示画像のコマ送りは、従来どおり、ユーザーがマルチセレクタの左右ボタンなどを操作することによって手動で行われる。
【００８３】
また、本実施形態のデジタルカメラでは、画像再生時に、デジタルカメラの姿勢が検出され、その姿勢がコマ送りの自動実行を指示する姿勢（例えば「縦」）であり、そして当該姿勢のままで所定時間が経過すると、その経過前の速度よりも速い速度で表示画像のコマ送りが行われるようにコマ送り速度が変更される。。
【００８４】
また、本実施形態のデジタルカメラでは、画像再生時に、デジタルカメラの姿勢が検出され、その姿勢がコマ送りの自動実行を指示する姿勢（例えば「縦」）である場合には、当該姿勢（例えば「縦」）の基準姿勢（例えば「横」）からの変化量に応じて、表示画像のコマ送りの速度が変更される。例えば、その変化量が大きくなるほど、表示画像のコマ送りが速く行われるようにコマ送り速度が変更される。
【００８５】
また、本実施形態のデジタルカメラでは、画像再生時に、デジタルカメラの姿勢が検出され、その姿勢がコマ送りの自動実行を指示する第一の姿勢（例えば「縦−９０度」）である場合には、撮影日時の新しいものから古いものの順に表示画像のコマ送りが行われる。
【００８６】
また、本実施形態のデジタルカメラでは、画像再生時に、デジタルカメラの姿勢が検出され、その姿勢がコマ送りの自動実行を指示する第二の姿勢（例えば「縦＋９０度」）である場合には、撮影日時の古いものから新しいものの順に表示画像のコマ送りが行われる。
【００８７】
また、本実施形態のデジタルカメラでは、画像再生時に、デジタルカメラの姿勢が検出され、その姿勢がコマ送りの自動実行を指示する第一の姿勢（例えば「縦−９０度」）である場合には、ファイル名として付与されたファイル番号の大きいものから小さいものの順に表示画像のコマ送りが行われる。
【００８８】
また、本実施形態のデジタルカメラでは、画像再生時に、デジタルカメラの姿勢が検出され、その姿勢がコマ送りの自動実行を指示する第二の姿勢（例えば「縦＋９０度」）である場合には、ファイル名として付与されたファイル番号の小さいものから大きいものの順に表示画像のコマ送りが行われる。
【００８９】
つまり、本実施形態のデジタルカメラによれば、画像再生時に、デジタルカメラの姿勢を変えると、再生画像のコマ送りの速度及び／又は順序が変更される。
【００９０】
従って、本実施形態のデジタルカメラによれば、画像再生時のコマ送りを、手間なく簡単に行うことができる。
【００９１】
また、本実施形態のデジタルカメラでは、画像再生時に、デジタルカメラの姿勢が検出され、その姿勢がコマ送りの自動実行を指示する姿勢（例えば「縦」）である場合には、表示画像のコマ送りが自動実行される。そして、そのコマ送りされる画像が、当該姿勢での下向きの方向にスクロールされながら表示される。
【００９２】
従って、本実施形態のデジタルカメラによれば、画像再生時に、自動コマ送りにより表示される画像に対して、画像が下の方向に落ちてゆくような面白い視覚効果を与えることができる。
【００９３】
また、本実施形態のデジタルカメラでは、画像再生時に、デジタルカメラの姿勢が検出され、その姿勢がコマ送りの自動実行を指示する姿勢（例えば「縦」）である場合には、表示画像のコマ送りが自動実行される。そして、その自動コマ送りにより表示される画像の表示方向が、当該画像の撮影時における当該画像を撮影した装置（例えば、デジタルカメラなど）の姿勢と一致した方向となるようにして、当該画像の表示が行われる。
【００９４】
従って、本実施形態のデジタルカメラによれば、画像再生時に、自動コマ送りにより表示される画像を違和感がないように表示することができる。
【００９５】
（その他）
なお、上述したデジタルカメラの動作に係るプログラムは、その一部または全部をコンピュータなどの外部処理装置に実行させてもよい。その場合、必要なプログラムがＣＤ−ＲＯＭ等のコンピュータ読み取り可能な記憶媒体やインターネット等の通信網などを介して外部処理装置へインストールされる。
【００９６】
また、上記ではデジタルカメラの実施例を説明したが、本発明の画像再生装置は、画像を再生して表示することが可能な他の機器、例えば、携帯電話機やデジタルビデオカメラなどにも適用することが可能である。
【符号の説明】
【００９７】
１１…撮像レンズ，１２…レンズ駆動部，１３…撮像素子，１４…アナログ信号処理部，１５…タイミングジェネレータ（ＴＧ），１６…バッファメモリ，１７…画像処理部，１８…表示制御部，１９…表示部，２０…制御部，２１…センサ部，２２…圧縮／復号部，２３…記録インターフェース（記録Ｉ／Ｆ），２４…記録媒体，２５…操作部，２６…バス
【図１】
2010232995.tif 000003
【図２】
2010232995.tif 000004
【図３】
2010232995.tif 000005
【図４】
2010232995.tif 000006
【図５】
2010232995.tif 000007
【図６】
2010232995.tif 000008
【図７】
2010232995.tif 000009
【図８】
2010232995.tif 000010
【図９】
2010232995.tif 000011
【図１０】
2010232995.tif 000012